【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
被記録媒体に記録を行うために用いられる複数の記録素子を備えた記録ヘッドと、前記複数の記録素子が並ぶ方向と交差する方向に前記被記録媒体を搬送するための搬送手段と、前記搬送手段による前記被記録媒体の搬送に応じて、前記搬送手段によって搬送されている記録媒体へ複数のラスターを記録するためのタイミングの指標となるタイミング信号を生成する生成手段と、前記信号生成手段によって生成されたタイミング信号に基づいて、前記被記録媒体への複数のラスターの記録を行うために前記複数の記録素子を駆動するための駆動制御信号を前記記録ヘッドへ出力する出力手段と、を備える記録装置であって、
前記出力手段は、前記複数のラスターそれぞれについて、前記タイミング信号における所定部に基づいて前記駆動制御信号を出力し、所定のラスターが記録されるタイミングが前記所定のラスターの前のラスターが記録されるタイミングと重複しないように前記所定のラスターを記録するための駆動制御信号の出力タイミングを前記所定部から遅延させることを特徴とする記録装置。
【請求項２】
被記録媒体に記録を行うために用いられる複数の記録素子を備えた記録ヘッドと、前記複数の記録素子が並ぶ方向と交差する方向に前記被記録媒体を搬送するための搬送手段と、前記搬送手段による前記被記録媒体の搬送に応じて、前記搬送手段によって搬送されている記録媒体へ複数のラスターを記録するためのタイミングの指標となるタイミング信号を生成する生成手段と、前記信号生成手段によって生成されたタイミング信号に基づいて、前記被記録媒体への複数のラスターの記録を行うために前記複数の記録素子を駆動するための駆動制御信号を前記記録ヘッドへ出力する出力手段と、を備える記録装置であって、
前記出力手段は、前記複数のラスターそれぞれについて、前記タイミング信号における所定部に基づいて前記駆動制御信号を出力し、かつ、前記所定部から前記タイミング信号の出力までの遅延時間を示す、メモリに記憶されたパラメータに基づいて駆動制御信号を出力することを特徴とする記録装置。
【請求項３】
前記出力手段は、前記パラメータは、所定のラスターが記録されるタイミングが前記所定のラスターの前のラスターが記録されるタイミングと重複しないように前記所定のラスターを記録するための駆動制御信号の出力タイミングを前記所定部から遅延させる時間を前記遅延時間として示すことを特徴とする請求項２に記載の記録装置。
【請求項４】
前記パラメータはさらに、前記タイミング信号の複数の所定部それぞれに基づいて出力される駆動制御信号の数を示すことを特徴とする請求項２または３に記載の記録装置。
【請求項５】
前記パラメータはさらに、前記タイミング信号の複数の所定部のうちの一部の所定部に基づいて複数ラスターに対応する複数の前記駆動制御信号を出力することを示し、さらに、前記複数の駆動制御信号同士の出力間隔を示すことを特徴とする請求項２乃至４のいずれか１項に記載の記録装置。
【請求項６】
被記録媒体に記録を行うために用いられる複数の記録素子を備えた記録ヘッドと、前記複数の記録素子が並ぶ方向と交差する方向に前記被記録媒体を搬送するための搬送手段と、前記搬送手段による前記被記録媒体の搬送に応じて、前記搬送手段によって搬送されている記録媒体へ複数のラスターを記録するためのタイミングの指標となるタイミング信号を生成する生成手段と、前記信号生成手段によって生成されたタイミング信号に基づいて、前記被記録媒体への複数のラスターの記録を行うために前記複数の記録素子を駆動するための駆動制御信号を前記記録ヘッドへ出力する出力手段と、を備える記録装置であって、
前記出力手段は、前記複数のラスターそれぞれについて、前記タイミング信号における所定部に基づいて前記駆動制御信号を出力し、かつ、前記タイミング信号の複数の所定部それぞれに基づいて出力される駆動制御信号の数を示す、メモリに記憶されたパラメータに基づいて駆動制御信号を出力することを特徴とする記録装置。
【請求項７】
前記パラメータは、前記タイミング信号の複数の所定部のうちの一部の所定部に基づいて複数ラスターに対応する前記駆動制御信号を出力することを示すことを特徴とする請求項６に記載の記録装置。
【請求項８】
被記録媒体に記録を行うために用いられる複数の記録素子を備えた記録ヘッドと、前記複数の記録素子が並ぶ方向と交差する方向に前記被記録媒体を搬送するための搬送手段と、前記搬送手段による前記被記録媒体の搬送に応じて、前記搬送手段によって搬送されている記録媒体へ複数のラスターを記録するためのタイミングの指標となるタイミング信号を生成する生成手段と、前記信号生成手段によって生成されたタイミング信号に基づいて、前記被記録媒体への複数のラスターの記録を行うために前記複数の記録素子を駆動するための駆動制御信号を前記記録ヘッドへ出力する出力手段と、を備える記録装置であって、
前記出力手段は、前記複数のラスターそれぞれについて、前記タイミング信号における複数の所定部に基づいて前記駆動制御信号を出力し、かつ、前記タイミング信号の一つの所定部に基づいて１つの駆動制御信号を出力し、前記タイミング信号の他の所定部に基づいて複数の駆動制御信号を出力することを特徴とする記録装置。
【請求項９】
前記タイミング信号における所定部は、前記タイミング信号におけるエッジであることを特徴とする請求項１乃至８のいずれか１項に記載の記録装置。
【請求項１０】
前記搬送手段はローラーであることを特徴とする請求項１乃至９のいずれか１項に記載の記録装置。
【請求項１１】
前記搬送手段によって搬送される記録媒体の搬送量の情報を取得するための取得手段をさらに備え、前記出力手段は、さらに前記情報に基づいて前記駆動制御信号の出力を行うことを特徴とする請求項１乃至１０のいずれか１項に記載の記録装置。
【請求項１２】
１ラスター分の記録を行うために、前記複数の記録素子のうちの前記第１の記録素子は前記出力手段によって出力された前記駆動制御信号のうちの第１のパルスに基づいて駆動し、前記複数の記録素子のうちの前記第２の記録素子は前記出力手段によって出力された前記駆動制御信号のうちの第２のパルスに基づいて駆動することを特徴とする請求項１乃至１１のいずれか１項に記載の記録装置。
【請求項１３】
前記複数の記録素子は、所定数の記録素子を単位とする第１グループと第２グループを少なくとも備え、前記記録ヘッドは、前記第１グループと前記第２グループから駆動すべき記録素子を選択し、前記出力手段によって出力された前記駆動制御信号に基づき選択した記録素子の駆動を制御する駆動制御回路を備えることを特徴とする請求項１乃至１２のいずれか１項に記載の記録装置。
【請求項１４】
前記生成手段は、ロータリーエンコーダを含むことを特徴とする請求項１乃至１３のいずれか１項に記載の記録装置。
【請求項１５】
前記記録ヘッドは、前記複数の記録素子が並ぶ方向において、記録素子に対応しインクを吐出するためのノズルが、画像の記録に使用されるシートの最大幅をカバーする範囲に設けられたライン型記録ヘッドであることを特徴とする請求項１乃至１４のいずれか１項に記載の記録装置。
【手続補正２】
【補正対象書類名】明細書
【補正対象項目名】０００６
【補正方法】変更
【補正の内容】
【０００６】
本発明は、ロールの偏心に対する補正と、被記録媒体の搬送速度に対応する補正を行って、被記録媒体に記録を行うことができる記録装置を提供することを目的とする。
【手続補正３】
【補正対象書類名】明細書
【補正対象項目名】０００７
【補正方法】変更
【補正の内容】
【０００７】
上記課題を解決するために、本発明の記録装置は、被記録媒体に記録を行うために用いられる複数の記録素子を備えた記録ヘッドと、前記複数の記録素子が並ぶ方向と交差する方向に前記被記録媒体を搬送するための搬送手段と、  前記搬送手段による前記被記録媒体の搬送に応じて、前記搬送手段によって搬送されている記録媒体へ複数のラスターを記録するためのタイミングの指標となるタイミング信号を生成する生成手段と、前記信号生成手段によって生成されたタイミング信号に基づいて、前記被記録媒体への複数のラスターの記録を行うために前記複数の記録素子を駆動するための駆動制御信号を前記記録ヘッドへ出力する出力手段と、を備える記録装置であって、前記出力手段は、前記複数のラスターそれぞれについて、前記タイミング信号における所定部に基づいて前記駆動制御信号を出力し、所定のラスターが記録されるタイミングが前記所定のラスターの前のラスターが記録されるタイミングと重複しないように前記所定のラスターを記録するための駆動制御信号の出力タイミングを前記所定部から遅延させることを特徴とする記録装置である。